(57)【要約】  【課題】  ポータブルの医用画像撮影装置を用いた撮影を行う場合に、業務の効率を向上させることができる医用移動端末、医用画像撮影制御装置、及び、医用画像撮影システムを提供する。  【解決手段】  この医用移動端末は、診断目的の撮影を行う移動可能な医用画像撮影装置を制御する医用移動端末であって、医用画像撮影装置を制御する医用画像撮影制御装置との間で少なくとも無線手段を用いて通信を行う無線通信手段３４と、無線通信手段を用いて医用画像撮影制御装置から受信した検査要求信号及び撮影条件に基づいて、移動可能な医用画像撮影装置における撮影を制御する撮影制御手段１２１ｃと、移動可能な医用画像撮影装置が実施した検査を特定する検査結果信号を生成し、該検査結果信号を、無線通信手段を用いて医用画像撮影制御装置に送信する検査結果信号生成手段１２１ｄとを具備する。【選択図】  図２
2005261525.tif 000002
【特許請求の範囲】
【請求項１】
診断目的の撮影を行う移動可能な医用画像撮影装置を制御する医用移動端末であって、
医用画像撮影装置を制御する医用画像撮影制御装置との間で少なくとも無線手段を用いて通信を行う無線通信手段と、
前記無線通信手段を用いて前記医用画像撮影制御装置から受信した検査要求信号及び撮影条件に基づいて、前記移動可能な医用画像撮影装置における撮影を制御する撮影制御手段と、
前記移動可能な医用画像撮影装置が実施した検査を特定する検査結果信号を生成し、該検査結果信号を、前記無線通信手段を用いて前記医用画像撮影制御装置に送信する検査結果信号生成手段と、
を具備する医用移動端末。
【請求項２】
前記無線通信手段を用いて前記医用画像撮影制御装置から受信した撮影に関する情報に基づいて、実施すべき検査の内容を表示する表示手段をさらに具備する、請求項１記載の医用移動端末。
【請求項３】
全地球測位システム機能を用いて位置情報を取得する位置情報取得手段と、
前記位置情報取得手段によって取得された位置情報を、前記無線通信手段を用いて前記医用画像撮影制御装置に送信する送信制御手段と、
をさらに具備する、請求項１又は２記載の医用移動端末。
【請求項４】
前記無線通信手段を用いて前記医用画像撮影制御装置から検査要求信号と共に受信した患者の照合を行うための照合情報に基づいて、患者の照合に関する動作を制御する照合制御手段をさらに具備する請求項１〜３のいずれか１項記載の医用移動端末。
【請求項５】
前記無線通信手段を用いて前記医用画像撮影制御装置から検査要求信号と共に受信した撮影者の照合を行うための照合情報に基づいて、撮影者の照合に関する動作を制御する照合制御手段をさらに具備する請求項１〜３のいずれか１項記載の医用移動端末。
【請求項６】
診断目的の撮影を行う医用画像撮影装置を制御する医用画像撮影制御装置であって、
入力された検査要求信号及び撮影に関する情報を格納する格納手段と、
入力された情報に基づいて、前記医用画像撮影装置が行う撮影における撮影条件を設定する撮影条件設定手段と、
移動可能な医用画像撮影装置を制御する医用移動端末との間で少なくとも無線手段を用いて通信を行う無線通信手段と、
前記移動可能な医用画像撮影装置において実施すべき検査を表す検査要求信号を、前記撮影条件設定手段によって設定された対応する撮影条件と共に、前記無線通信手段を用いて前記医用移動端末に送信し、前記移動可能な医用画像撮影装置において実施した検査を特定する検査結果信号を、前記無線通信手段を用いて前記医用移動端末から受信し、該検査結果信号と前記格納手段に格納されている撮影に関する情報とに基づいて検査を管理する検査管理手段と、
を具備する医用画像撮影制御装置。
【請求項７】
前記検査管理手段が、全地球測位システム機能を用いて取得された位置情報を、前記無線通信手段を用いて前記医用移動端末から受信し、該位置情報を参照しながら検査を管理する、請求項６記載の医用画像撮影制御装置。
【請求項８】
前記検査管理手段が、患者の照合を行うための照合情報を生成し、該照合情報を検査要求信号及び撮影条件と共に、前記無線通信手段を用いて前記医用移動端末に送信する、請求項６又は７記載の医用画像撮影制御装置。
【請求項９】
前記検査管理手段が、撮影者の照合を行うための照合情報を生成し、該照合情報を検査要求信号及び撮影条件と共に、前記無線通信手段を用いて前記医用移動端末に送信する、請求項６又は７記載の医用画像撮影制御装置。
【請求項１０】
診断目的の撮影を行う少なくとも１つの医用画像撮影装置と、前記少なくとも１つの医用画像撮影装置を制御する医用画像撮影制御装置と、移動可能な医用画像撮影装置を制御する医用移動端末とを含む医用画像撮影システムであって、
前記医用画像撮影制御装置が、
入力された検査要求信号及び撮影に関する情報を格納する格納手段と、
入力された情報に基づいて、前記医用画像撮影装置が行う撮影における撮影条件を設定する撮影条件設定手段と、
前記医用移動端末との間で少なくとも無線手段を用いて通信を行う第１の無線通信手段と、
前記移動可能な医用画像撮影装置において実施すべき検査を表す検査要求信号を、前記撮影条件設定手段によって設定された対応する撮影条件と共に、前記第１の無線通信手段を用いて前記医用移動端末に送信し、前記移動可能な医用画像撮影装置において実施した検査を特定する検査結果信号を、前記第１の無線通信手段を用いて前記医用移動端末から受信し、該検査結果信号と前記格納手段に格納されている撮影に関する情報とに基づいて検査を管理する検査管理手段と、
を具備し、前記医用移動端末が、
前記医用画像撮影制御装置との間で少なくとも無線手段を用いて通信を行う第２の無線通信手段と、
前記第２の無線通信手段を用いて前記医用画像撮影制御装置から受信した検査要求信号及び撮影条件に基づいて、前記移動可能な医用画像撮影装置における撮影を制御する撮影制御手段と、
前記移動可能な医用画像撮影装置が実施した検査を特定する検査結果信号を生成し、該検査結果信号を、前記第２の無線通信手段を用いて前記医用画像撮影制御装置に送信する検査結果信号生成手段と、
を具備する、医用画像撮影システム。
【発明の詳細な説明】
【技術分野】
【０００１】
本発明は、診断目的の撮影を行うポータブルの医用画像撮影装置を制御する医用移動端末に関する。また、本発明は、そのような医用移動端末や通常の医用画像撮影装置に対して撮影条件等を送信して撮影を制御する医用画像撮影制御装置に関する。さらに、本発明は、医用画像撮影装置と医用画像撮影制御装置と医用移動端末とを含む医用画像撮影システムに関する。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、Ｘ線ＣＴや超音波、ＭＲＩ等の様々なディジタル化された装置が実用化されており、病院内での診断情報処理システム等の構築が進められようとしている。Ｘ線画像についてもディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、画像撮影装置を用いて、輝尽性蛍光体を塗布したシートに人体等の被写体の放射線画像を撮影記録し、画像読取装置を用いて、この輝尽性蛍光体シートをレーザ光等の励起光で走査すると輝尽発光光が生じるので、この光を光電的に読み取ることにより画像データを得るものである。さらに、画像処理装置を用いて、この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画質の劣化を招くことなく、大量のデータを長期保存することが可能になるばかりか、医療診断情報システムへの発展等も可能になる。
【０００５】
近年においては、検査の進行状況等に基づいて業務を管理する病院情報管理システム（hospital information system：ＨＩＳ）や放射線科情報管理システム（radiology information system：ＲＩＳ）等が用いられており、このようなシステムにネットワークを介して接続された医用画像撮影制御装置を用いて、放射線撮影装置等の医用画像撮影装置による撮影が制御されることがある。具体的には、ＲＩＳ等のオーダリング装置において発行された検査要求信号が、検査情報等と共に、オーダリング装置からネットワークを介して医用画像撮影制御装置に入力され、医用画像撮影制御装置が、検査情報に基づいてＸ線照射量等の撮影条件を設定し、医用画像撮影制御装置に接続された医用画像撮影装置に検査要求信号を撮影条件と共に転送する。
【０００６】
一方、動けない状態となっている入院患者の撮影や、自宅介護患者の撮影においては、移動が容易なポータブルの医用画像撮影装置を病室又は患者の自宅に運び込み、ポータブル撮影を行っている。ポータブル撮影においては、予め、検査要求信号に基づいて、ポータブル撮影用の検査情報のリストをプリントアウトしておき、撮影時に、各撮影において使用する輝尽性蛍光体シートを特定するＩＰ（imaging plate）番号をメモし、そのメモを持ち帰った後に、医用画像撮影制御装置にポータブル撮影用の検査情報とＩＰ番号とを対応させて記憶させることによりＩＰ登録を行っている。
【０００７】
しかしながら、ポータブル撮影を行うためには、ポータブルの医用画像撮影装置及び医用移動端末を病室又は患者の自宅に運び込む前に、検査情報のリストを予めプリントアウトしておく必要があるので、操作が煩雑であり、緊急のスケジュール変更等に対応できない。また、手書きによるメモは正確性に欠け、さらに、煩雑であるという問題があった。
【０００８】
関連する技術として、下記の特許文献１には、比較的簡単な操作で誤りの生ずる可能性が低く、多種類の多数の蛍光体シートを集中的に管理し画像再生処理することのできる放射線画像再生処理装置のデータ処理システムが開示されている。このデータ処理システムにおいては、放射線撮影に応じて蓄積性蛍光体に付与された識別符号及びその放射線撮影に関連するデータを入力する識別情報端末を、撮影装置に対応して設け、識別情報端末と画像処理室の全体制御系とを通信回線を介して接続しているので、比較的簡単な操作で誤りの生ずる可能性が低く、多種類の多数の蛍光体シートを集中的に管理し画像再生処理することができる。
【０００９】
また、下記の特許文献２には、登録手段および画像読取装置がそれぞれ複数設けられているシステムにおいて、どの登録手段でＩＤ情報の登録をした蓄積性蛍光体シートも任意の画像読取装置で読み取りを行うことのできる放射線画像情報記録読取システムが開示されている。この放射線画像情報記録読取システムにおいては、各登録手段に入力された情報は情報管理手段において一括して管理され、情報管理手段において管理される情報は適宜画像読取装置に伝えることができるので、撮影を行う際にＩＤ情報等の登録が行われた貯蓄性蛍光体シートは、どの登録手段において登録が行われたかにかかわらず、任意の画像読取装置で読み取りを行うことができる。
【００１０】
また、下記の特許文献３には、一つの検査が数枚以上の画像を用いるものである場合にも好適に利用し得る画像および情報処理装置であって、画像を取り扱う際の取り扱い単位を、一枚一枚の画像から一つの検査に対応する数枚以上の画像とした画像および情報処理装置が開示されている。この情報処理装置においては、独立型でもしくはネットワークに接続された形で、検査内容である撮影条件の設定を行い、撮影の進行状況と逐次監視して、誤りが見出された場合には直ちに再撮の指示を出すなど、検査における一連の動作を簡単な操作で実行させているので、検査用の放射線画像の取り扱いの効率を大きく向上させることができる。
【００１１】
しかしながら、これらの特許文献１〜３においては、ポータブルの医用画像撮影装置を用いた撮影については記載されていないので、ポータブル撮影における紙による検査情報の管理やＩＰ登録に関する問題は解決されていない。
【特許文献１】特開昭５８−７２０４０号公報（第２，４頁、第１図）
【特許文献２】特開昭６３−２５３３４８号公報（第２，３頁、第２図）
【特許文献３】特開２００２−１５７５８５号公報（第１，８頁、図２）
【発明の開示】
【発明が解決しようとする課題】
【００１２】
そこで、上記の点に鑑み、本発明は、ポータブルの医用画像撮影装置を用いた撮影を行う場合に、業務の効率を向上させることができる医用移動端末、医用画像撮影制御装置、及び、医用画像撮影システムを提供することを目的とする。
【課題を解決するための手段】
【００１３】
上記課題を解決するため、本発明に係る医用移動端末は、診断目的の撮影を行う移動可能な医用画像撮影装置を制御する医用移動端末であって、医用画像撮影装置を制御する医用画像撮影制御装置との間で少なくとも無線手段を用いて通信を行う無線通信手段と、無線通信手段を用いて医用画像撮影制御装置から受信した検査要求信号及び撮影条件に基づいて、移動可能な医用画像撮影装置における撮影を制御する撮影制御手段と、移動可能な医用画像撮影装置が実施した検査を特定する検査結果信号を生成し、該検査結果信号を、無線通信手段を用いて医用画像撮影制御装置に送信する検査結果信号生成手段とを具備する。
【００１４】
また、本発明に係る医用画像撮影制御装置は、診断目的の撮影を行う医用画像撮影装置を制御する医用画像撮影制御装置であって、入力された検査要求信号及び撮影に関する情報を格納する格納手段と、入力された情報に基づいて、医用画像撮影装置が行う撮影における撮影条件を設定する撮影条件設定手段と、移動可能な医用画像撮影装置を制御する医用移動端末との間で少なくとも無線手段を用いて通信を行う無線通信手段と、移動可能な医用画像撮影装置において実施すべき検査を表す検査要求信号を、撮影条件設定手段によって設定された対応する撮影条件と共に、無線通信手段を用いて医用移動端末に送信し、移動可能な医用画像撮影装置において実施した検査を特定する検査結果信号を、無線通信手段を用いて医用移動端末から受信し、該検査結果信号と格納手段に格納されている撮影に関する情報とに基づいて検査を管理する検査管理手段とを具備する。
【００１５】
さらに、本発明に係る医用画像撮影システムは、診断目的の撮影を行う少なくとも１つの医用画像撮影装置と、少なくとも１つの医用画像撮影装置を制御する医用画像撮影制御装置と、移動可能な医用画像撮影装置を制御する医用移動端末とを含む医用画像撮影システムであって、医用画像撮影制御装置が、入力された検査要求信号及び撮影に関する情報を格納する格納手段と、入力された情報に基づいて、医用画像撮影装置が行う撮影における撮影条件を設定する撮影条件設定手段と、医用移動端末との間で少なくとも無線手段を用いて通信を行う第１の無線通信手段と、移動可能な医用画像撮影装置において実施すべき検査を表す検査要求信号を、撮影条件設定手段によって設定された対応する撮影条件と共に、第１の無線通信手段を用いて医用移動端末に送信し、移動可能な医用画像撮影装置において実施した検査を特定する検査結果信号を、第１の無線通信手段を用いて医用移動端末から受信し、該検査結果信号と格納手段に格納されている撮影に関する情報とに基づいて検査を管理する検査管理手段とを具備し、医用移動端末が、医用画像撮影制御装置との間で少なくとも無線手段を用いて通信を行う第２の無線通信手段と、第２の無線通信手段を用いて医用画像撮影制御装置から受信した検査要求信号及び撮影条件に基づいて、移動可能な医用画像撮影装置における撮影を制御する撮影制御手段と、移動可能な医用画像撮影装置が実施した検査を特定する検査結果信号を生成し、該検査結果信号を、第２の無線通信手段を用いて医用画像撮影制御装置に送信する検査結果信号生成手段とを具備する。
【発明の効果】
【００１６】
本発明によれば、ポータブルの医用画像撮影装置を用いた撮影を行う場合に、医用画像撮影制御装置と、ポータブルの医用画像撮影装置を制御する医用移動端末との間で無線通信を行うことにより、病室や患者の自宅におけるＩＰ登録が可能となり、業務の効率を向上させることができる。
【発明を実施するための最良の形態】
【００１７】
以下、本発明を実施するための最良の形態について、図面を参照しながら詳しく説明する。なお、同一の構成要素には同一の参照番号を付して、説明を省略する。
図１は、本発明の第１の実施形態に係る医用移動端末及び医用画像撮影制御装置を含む医用画像撮影システムの構成を示すブロック図である。図１に示すように、放射線科には、被検者に放射線を照射して撮影を行うことにより記録シート（輝尽性蛍光体シート）１に放射線画像を記録する医用画像撮影装置１０及びポータブルの医用画像撮影装置２０と、ポータブルの医用画像撮影装置２０を制御する医用移動端末３０と、医用画像撮影装置１０を制御し、また、医用移動端末３０との間で無線通信によりデータの送受信を行う医用画像撮影制御装置４０と、記録シート１に記録された放射線画像等の情報を光電的に読み取って画像データを生成する医用画像読取装置５０とが配置されている。
【００１８】
ここで、医用画像撮影装置１０と医用画像撮影制御装置４０とは、シリアル接続されており、医用画像撮影制御装置４０と医用画像読取装置５０とは、ネットワークを介して接続されている。また、ポータブルの医用画像撮影装置２０と医用移動端末３０とは、ＵＳＢ（universal serial bus）を用いて接続することができる。
【００１９】
また、放射線科においては、医用画像撮影制御装置４０において処理が施された画像データ等を記録する画像サーバ６０と、放射線画像をフィルム等に印刷するプリンタ７０と、放射線撮影に関する様々な業務の遂行を管理するＲＩＳ８０と、受付端末９０とが、ネットワークを介して医用画像撮影制御装置４０に接続されている。また、ＲＩＳ８０は、病院全体の業務を管理するＨＩＳ１００や、病院の受付端末１１０に、ネットワークを介して接続されている。
【００２０】
放射線撮影に用いられる記録シート１は、輝尽性蛍光体物質を塗布したものであり、放射線が照射されることにより被写体の情報が記録される。医用画像撮影装置１０において、所定の撮影条件の下で被検者の放射線撮影が行われ、その放射線画像が記録シート１に記録される。
【００２１】
医用画像撮影装置１０は、所定の位置にセットされた記録シート１の位置を上下に移動させて微調整することにより被検者における撮影位置を昇降させる撮影位置昇降機構１１と、被検者の足の位置を決める撮影台１２と、被検者に放射線を照射する放射線発生部１３と、医用画像撮影制御装置４０から制御信号が入力されるインタフェース１４とを含んでいる。
【００２２】
医用画像撮影制御装置４０は、医用画像撮影装置１０に撮影条件等の情報を出力するコンソールであり、入力された医用画像撮影装置１０を用いる撮影用の検査要求信号に基づいて、撮影条件等の情報を医用画像撮影装置１０に出力することによって、医用画像撮影装置１０を制御する。また、医用画像撮影制御装置４０は、医用画像読取装置５０から入力される画像データ等に対して各種の処理を施したり、画像サーバ６０等の記録装置やプリンタ７０等の出力装置に画像データ等を配送する。
【００２３】
医用画像読取装置５０は、レーザ光源５１から出射し、光走査部５２を通った光ビームによって、所定の位置にセットされた記録シート１の表面を走査する。この走査により光ビームが記録シート１に照射され、光ビームが照射された箇所から蓄積記録された放射線画像情報に応じた光量の輝尽発光光が生じる。
【００２４】
輝尽発光光は、フォトマルチプライヤ（光電子増倍管）５３により光電的に検出され、アナログ信号として出力されて増幅器５４により増幅され、Ａ／Ｄ変換器５５によりディジタル化される。また、記録シート１を格納するカセッテに付されたバーコードが、バーコードリーダ５６により読み取られ、読み取られたバーコード情報は、患者情報及び検査情報に対応する画像付帯情報として使用される。このようにして生成された画像データと画像付帯情報とが、出力部５７からネットワークを介して医用画像撮影制御装置４０に送信される。
【００２５】
画像サーバ６０は、医用画像撮影制御装置４０から配送された画像データ及び画像付帯情報を記録する。また、プリンタ７０は、医用画像撮影制御装置４０から配送された画像データに基づいて、医用画像をフィルム等に印刷する。
【００２６】
ＲＩＳ８０は、検査を開始させるために、医用画像撮影制御装置４０に対して、検査要求信号、患者情報、及び、検査情報を出力することにより、オーダリング装置として機能する。同様に、ＨＩＳ１００も、電子カルテＤＢ（データベース）１０１に基づいて、オーダリング装置として機能することが可能である。また、専用に開発されたアプリケーションプログラムによって動作するオーダリング装置を別途設けるようにしても良い。
【００２７】
受付端末１１０は、病院の受付において、被検者である患者の氏名や患者ＩＤ等の患者情報を入力するために用いられ、また、予め放射線撮影を行うことが分かっている場合には、撮影部位等を表す撮影メニュー、検査番号及び検査日等の検査情報を入力するために用いられる。なお、患者情報及び検査情報は、医用画像撮影制御装置４０、又は、放射線科の受付端末９０を用いて入力するようにしても良い。電子カルテＤＢ１０１には、受付端末９０又は１１０等を用いて入力された患者情報及び検査情報等が登録されている。
【００２８】
動けない状態となっている入院患者や自宅介護患者を撮影する場合には、移動が容易なポータブルの医用画像撮影装置２０を患者の病室又は自宅に運び込み、ポータブル撮影を行う。ポータブル撮影においては、医用画像撮影制御装置４０が、ポータブルの医用画像撮影装置２０を用いる撮影に関する検査要求信号を撮影条件等と共に医用移動端末３０に送信し、医用移動端末３０が、受信した検査要求信号及び撮影条件等に基づいて、ポータブルの医用画像撮影装置２０における撮影を制御する。
【００２９】
ポータブルの医用画像撮影装置２０は、記録シート１を上部に乗せて保持する撮影台２１と、被検者に放射線を照射する放射線発生部２２と、放射線発生部２２の位置を微調整することにより被検者に対する照射位置を微調整する照射位置調整機構２３と、医用移動端末３０から送信される撮影条件等の情報が入力されるインタフェース２４とを含んでいる。なお、被検者が入院患者である場合には、撮影台２１として入院患者の寝台を用いても良い。
【００３０】
ポータブルの医用画像撮影装置２０を用いる撮影については、例えば、医用移動端末３０が、携帯電話等において用いられている移動通信システムによる無線通信機能を用いて、医用画像撮影制御装置４０に検査送信依頼信号を送信する。医用画像撮影制御装置４０は、医用移動端末３０から受信した検査送信依頼信号に応答して、移動通信システムによる無線通信機能を利用して、医用移動端末３０に検査要求信号及び撮影条件等の情報を送信する。
【００３１】
本実施形態においては、医用画像撮影制御装置４０が、移動通信システムの基地局１４１及び１４２を介して、医用移動端末３０との間でデータの送受信を行う。基地局１４１は、医用画像撮影制御装置４０から無線により送信される信号を受信し、受信した信号を、公衆回線網等を利用して基地局１４２に送信し、基地局１４２がこれを医用移動端末３０に無線により送信する。一方、基地局１４２は、医用移動端末３０から無線により送信される信号を受信し、受信した信号を、公衆回線網等を利用して基地局１４１に送信し、基地局１４１がこれを医用画像撮影制御装置４０に無線により送信する。なお、医用移動端末３０と医用画像撮影制御装置４０との間の距離が近い場合には、１つの基地局を介して通信が行われる。
【００３２】
医用移動端末３０は、医用画像撮影制御装置４０から送信される検査要求信号及び撮影条件等の情報を受信する。また、医用移動端末３０は、要求された検査において撮影に用いられる記録シートを格納しているカセッテに付されたバーコードを読み取って、バーコード情報を生成する。医用移動端末３０は、受信した検査要求信号及び撮影条件等の情報、及び、生成したバーコード情報を格納し、撮影条件等の情報に基づいて、ポータブルの医用画像撮影装置２０における撮影を制御する。
【００３３】
撮影後、医用移動端末３０は、格納しているバーコード情報等の検査結果情報を、医用画像撮影制御装置４０に送信する。送信された検査結果情報に含まれているバーコード情報は、医用画像撮影制御装置４０において、患者情報等と対応させて記憶され、ＩＰ登録が行われる。
【００３４】
即ち、本実施形態に係る医用画像撮影システムにおいては、ＲＩＳ８０等のオーダリング装置から医用画像撮影制御装置４０に入力された検査要求信号及び撮影条件等を、医用画像撮影制御装置４０から医用移動端末３０に無線により送信するので、検査のリストを予めプリントアウトしておく必要がなくなる。また、医用移動端末３０によって生成されるバーコード情報を、医用移動端末３０から医用画像撮影制御装置４０に無線により送信するので、ＩＰ番号をメモしておく必要がなくなる。したがって、遠隔地におけるポータブル撮影においても撮影の効率が向上する。
【００３５】
図２は、図１に示す医用移動端末の詳細な構成を示すブロック図である。医用移動端末３０は、各種の命令等を入力するために用いられる入力部３１と、記録シート１を格納するカセッテに付されたバーコードを読み取るバーコードリーダ３２と、受信した検査要求信号に対応する検査等を表示する表示部３３と、医用画像撮影制御装置４０との間で無線によりデータの送受信を行う無線通信部３４と、無線信号の送受信に用いられるアンテナ３５と、処理部１２０とを含んでいる。
【００３６】
無線通信部３４は、携帯電話の方式として知られているＣＤＭＡ（code division multiple access：符号分割多重接続）方式やＷ−ＣＤＭＡ（ワイドバンドＣＤＭＡ）方式、ＰＨＳ（personal handyphone system：簡易型携帯電話システム）の方式として知られているＰＩＡＦＳ（ＰＨＳ internet access forum standard：ＰＨＳインターネット接続フォーラム標準）方式、及び、ＢＬＵＥＴＯＯＴＨ（ブルートゥース：登録商標）等の方式を用いて、データの送受信を行う。
【００３７】
処理部１２０は、中央演算装置（以下、ＣＰＵという）１２１と、検査要求信号等を一時的に記憶するメモリ１２２と、記録媒体としてのハードディスク１２３と、ハードディスク制御部１２４とを含んでいる。これらの各部１２１〜１２４は、バスラインを介して相互に接続されている。さらに、処理部１２０は、インタフェース１２５及び１２６を含んでいる。
【００３８】
メモリ１２２は、バーコードリーダ３２を用いて読み取られたバーコード情報、無線通信部３４を用いて受信された検査要求信号、及び、検査要求信号に対応する患者情報と検査情報と撮影条件情報等を一時的に記憶する。ＣＰＵ１２１は、インタフェース１２５を介して、入力部３１や、ＣＲＴディスプレイ等の表示部３３に接続されており、また、インタフェース１２６を介して、ポータブルの医用画像撮影装置２０に接続されている。
【００３９】
ハードディスク１２３には、ＣＰＵ１２１に動作を行わせるためのソフトウェア（プログラム）が記録されている。なお、記録媒体として、内蔵のハードディスク１２３の替りに、外付けハードディスク、フレキシブルディスク、ＭＯ、ＭＴ、ＲＡＭ、ＣＤ−ＲＯＭ、又は、ＤＶＤ−ＲＯＭ等を用いても良い。
【００４０】
次に、ＣＰＵ１２１とソフトウェア（プログラム）とによって構成される機能ブロック１２１ａ〜１２１ｅについて説明する。
検査送信依頼信号生成部１２１ａは、医用画像撮影制御装置４０から、検査要求信号、及び、検査要求信号に対応する患者情報と検査情報と撮影条件情報等をダウンロードするための検査送信依頼信号を生成し、無線通信部３４を用いて医用画像撮影制御装置４０に検査送信依頼信号を送信する。
【００４１】
検査要求信号処理部１２１ｂは、無線通信部３４を用いて検査要求信号、及び、検査要求信号に対応する患者情報と検査情報と撮影条件情報等を受信し、これをメモリ１２２に記憶する。また、検査要求信号処理部１２１ｂは、検査要求信号に対応する患者情報や検査情報等を、出力部１２１ｅからインタフェース１２５を介して表示部３３に出力させる。患者情報及び検査情報は、表示部３３に供給され、表示部３３において、検査開始要求が発行された検査を表す検査情報として表示される。
【００４２】
表示部３３において表示された検査情報を確認したオペレータによって、実施する検査が選択され、さらに、その検査に対する検査開始命令が入力部３１を用いて入力されると、撮影制御部１２１ｃは、その検査に対応する撮影条件情報に基づいて撮影条件を設定し、検査を開始するように、インタフェース１２６を介してポータブルの医用画像撮影装置２０を制御する。また、撮影に用いられる記録シートを格納しているカセッテに付されたバーコードをバーコードリーダ３２を用いて読み取ることによって、バーコード情報が生成される。撮影制御部１２１ｃは、開始すべき検査に関する患者情報及び検査情報と、生成されたバーコード情報とを、互いに対応させてメモリ１２２に記憶する。
【００４３】
検査結果信号生成部１２１ｄは、検査要求信号に対応するバーコード情報等を、医用画像撮影制御装置４０にアップロードするための検査結果信号を生成し、無線通信部３４を用いて医用画像撮影制御装置４０に検査結果信号を送信する。
【００４４】
なお、本実施形態においては、検査送信依頼信号生成部１２１ａ、検査要求信号処理部１２１ｂ、撮影制御部１２１ｃ、検査結果信号生成部１２１ｄ、及び、出力部１２１ｅを、ＣＰＵとソフトウェアで構成したが、ディジタル回路やアナログ回路で構成しても良い。
【００４５】
図３は、図１に示す医用画像撮影制御装置の詳細な構成を示すブロック図である。医用画像撮影制御装置４０は、患者情報や各種の命令等を入力するために用いられる入力部４１と、放射線画像等を表示する表示部４２と、医用移動端末３０との間でデータの送受信を行う無線通信部４３と、無線信号の送受信に用いられるアンテナ４４と、処理部１３０とを含んでいる。
【００４６】
無線通信部４３は、携帯電話の方式として知られているＣＤＭＡ方式やＷ−ＣＤＭＡ方式、ＰＨＳの方式として知られているＰＩＡＦＳ方式、及び、ＢＬＵＥＴＯＯＴＨ等の方式を用いて、データの送受信を行う。
【００４７】
処理部１３０は、ＣＰＵ１３１と、入力された画像データや検査要求信号等を一時的に記憶するメモリ１３２と、記録媒体としてのハードディスク１３３と、ハードディスク制御部１３４と、ネットワークインタフェース１３５とを含んでいる。これら各部１３１〜１３５は、バスラインを介して相互に接続されている。さらに、処理部１３０は、インタフェース１３６及び１３７を含んでいる。
【００４８】
メモリ１３２は、オーダリング装置から入力される検査要求信号等や、医用移動端末３０から送信されるバーコード情報等や、医用画像読取装置５０から送信される画像データ及び画像付帯情報を一時的に記憶する。ＣＰＵ１３１は、インタフェース１３６を介して、キーボードやマウス等の入力部４１や、ＣＲＴディスプレイ等の表示部４２に接続されており、また、インタフェース１３７を介して、医用画像撮影装置１０に接続される。また、ネットワークインタフェース１３５を介して、図１に示す医用画像読取装置５０、画像サーバ６０、プリンタ７０、ＲＩＳ８０、受付端末９０に接続されている。
【００４９】
ハードディスク１３３には、ＣＰＵ１３１に動作を行わせるためのソフトウェア（プログラム）が記録されている。なお、記録媒体としては、内蔵のハードディスク１３３の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００５０】
次に、ＣＰＵ１３１とソフトウェア（プログラム）とによって構成される機能ブロック１３１ａ〜１３１ｅについて説明する。
撮影条件設定部１３１ａは、オーダリング装置から入力される検査要求信号に対応する患者情報及び検査情報に基づいて、撮影条件を設定し、検査要求信号、患者情報及び検査情報に対応させて、撮影条件を表す撮影条件情報をメモリ１３２に記憶する。
【００５１】
検査管理部１３１ｂは、無線通信部４３によって検査送信依頼信号が受信されると、メモリ１３２が記憶しているポータブルの医用画像撮影装置２０を用いて行う検査に対応する検査要求信号、患者情報、検査情報、及び、撮影条件情報を読み出し、無線通信部４３を用いて医用移動端末３０に送信する。また、検査管理部１３１ｂは、無線通信部４３を用いて検査結果信号を受信すると、メモリ１３２が記憶しているポータブルの医用画像撮影装置２０を用いて行う検査に対応する検査要求信号、患者情報、検査情報に対応させて、検査結果信号に含まれているバーコード情報等をメモリ１３２に記憶して、ＩＰ登録を行う。
【００５２】
撮影制御部１３１ｃは、メモリ１３２に記憶されている医用画像撮影装置１０を用いて行う検査に対応する撮影条件情報に基づいて撮影条件を設定し、インタフェース１３７を介して医用画像撮影装置１０における撮影を制御する。
【００５３】
画像処理部１３１ｄは、医用画像読取装置５０から受信された画像データに、必要な画像処理を施す。必要な画像処理が施された画像データは、出力部１３１ｅからインタフェース１３６を介して表示部４２に供給されて、表示部４２において画像が表示され、その画像がオペレータによって確認される。また、必要な画像処理が施された画像データは、メモリ１３２に記憶されると共に、オペレータの指示に従って、ハードディスク制御部１３４を介してハードディスク１３３に記録されたり、ネットワークインタフェース１３５を介して画像サーバ６０等に配送される。
【００５４】
なお、本実施形態においては、撮影条件設定部１３１ａ、検査管理部１３１ｂ、撮影制御部１３１ｃ、撮影制御部１３１ｄ、及び、出力部１３１ｅを、ＣＰＵとソフトウェアで構成したが、ディジタル回路やアナログ回路で構成しても良い。
【００５５】
次に、本実施形態に係る医用移動端末及び医用画像撮影装置を含む医用画像撮影システムにおける撮影動作について、図１〜図４を参照しながら説明する。図４は、医用画像撮影システムにおける撮影動作を示すフローチャートである。
【００５６】
まず、オーダリング装置が、検査要求信号、及び、検査要求信号に対応する患者情報と検査情報を送信すると、ステップＳ３１において、医用画像撮影制御装置４０が、無線通信部４３を用いてこれらを受信する。ここで、医用画像撮影制御装置４０は、撮影条件設定部１３１ａにおいて患者情報及び検査情報に対応して撮影条件情報を設定し、入力された検査要求信号、及び、検査要求信号に対応する患者情報と検査情報と共に、撮影条件情報をメモリ１３２に記憶する。
【００５７】
次に、ステップＳ１１において、オペレータが医用移動端末３０の入力部３１を用いて検査送信依頼命令を入力すると、ステップＳ２１において、医用移動端末３０の検査送信依頼信号生成部１２１ａが、無線通信部３４を用いて医用画像撮影制御装置４０に検査送信依頼信号を送信する。
【００５８】
ステップＳ３２において、医用画像撮影制御装置４０の検査管理部１３１ｂが、無線通信部４３を用いて受信した検査送信依頼信号に基づいて、メモリ１３２に記憶されている検査要求信号、患者情報、検査情報及び撮影条件情報を読み出し、無線通信部４３を用いて医用移動端末３０にそれらの情報を送信する。
【００５９】
ステップＳ２２において、医用移動端末３０の検査要求信号処理部１２１ｂが、無線通信部３４を用いて検査要求信号、及び、検査要求信号に対応する患者情報と検査情報と撮影条件情報を受信し、それらの情報をメモリ１２２に記憶する。
【００６０】
ステップＳ２３において、検査要求信号処理部１２１ｂが、受信した検査要求信号に基づいて、出力部１２１ｅ及びインタフェース１２５を介して表示部３３に患者情報及び検査情報を出力し、表示部３３が、検査要求が発行された検査を表す検査情報を表示する。
【００６１】
ステップＳ１２において、オペレータが、表示部３３において表示された検査情報を確認し、入力部３１を用いて検査選択命令を入力すると、ステップＳ２４において、医用移動端末３０が、選択された検査情報に対応する検査の準備を行う。
【００６２】
ここで、医用画像撮影制御装置４０の検査管理部１３１ｂが、検査要求信号、及び、検査要求信号に対応する患者情報と検査情報と撮影条件情報を送信すると供に、患者が身に付けているリストバンドにバーコードとして付けられた患者ＩＤ情報、患者の顔写真情報、又は、指紋情報等の照合情報を医用移動端末３０に送信し、医用移動端末３０によって、撮影すべき患者の照合を行うようにしても良い。
【００６３】
患者が身に付けているリストバンドにバーコードとして付けられた患者ＩＤ情報を照合情報として用いる場合には、バーコードリーダ３２を用いて患者が身に付けているリストバンドに付けられたバーコードを読み取ることによって患者ＩＤ情報を生成し、ＣＰＵ１２１とソフトウェア等によって構成される照合制御部１２１ｆが、医用画像撮影制御装置４０から受信した患者ＩＤ情報と、バーコードリーダ３２を用いて読み取られた患者ＩＤ情報との照合を行う。
【００６４】
患者の顔写真情報を照合情報として用いる場合には、照合制御部１２１ｆが、出力部１２１ｅ及びインタフェース１２５を介して表示部３３に患者の顔写真を出力し、オペレータが患者の顔を視認することにより照合を行う。
【００６５】
指紋情報を照合情報として用いる場合には、指紋センサ３６を用いて患者の指紋を読み取ることによって指紋情報を生成し、照合制御部１２１ｆが、医用画像撮影制御装置４０から受信した指紋情報と、指紋センサ３６を用いて読み取られた指紋情報との照合を行う。これらの方法によって、撮影する患者の取り違いを防ぐことができる。
【００６６】
また、医用画像撮影制御装置４０の検査管理部１３１ｂが、検査要求信号、及び、検査要求信号に対応する患者情報と検査情報と撮影条件情報を送信すると供に、撮影責任者名等の照合情報を医用移動端末３０に送信し、医用移動端末３０によって、オペレータが、自分が撮影すべき検査か否かを確認するようにしても良い。
【００６７】
撮影者の照合を行う場合には、照合制御部１２１ｆが、出力部１２１ｅ及びインタフェース１２５を介して表示部３３に撮影責任者名等を出力し、オペレータが撮影責任者名等を視認することにより照合を行う。
【００６８】
また、ステップＳ１３において、オペレータが、バーコードリーダ３２を用いて撮影に用いられる記録シートを格納するカセッテに付されたバーコードを読み取ると、ステップＳ２５において、医用移動端末３０が、バーコードリーダ３２によって読み取ることによって生成されたバーコード情報を、選択された検査情報に対応させてメモリ１２２に記憶する。
【００６９】
さらに、ステップＳ１４において、オペレータが、入力部３１を用いて、選択した検査を開始させるために検査開始命令を入力すると、ステップＳ２６において、医用移動端末３０の撮影制御部１２１ｃが、その検査に対応する撮影条件情報に基づいて、撮影を開始するようにポータブルの医用画像撮影装置２０を制御する。
【００７０】
撮影が終了すると、ステップＳ２７において、検査結果信号生成部１２１ｄは、撮影が終了した検査に対応する検査要求信号、及び、検査要求信号に対応するバーコード情報等を含む検査結果信号を、無線通信部３４を用いて医用画像撮影制御装置４０に送信する。
【００７１】
ステップＳ３３において、医用画像撮影制御装置４０の検査管理部１３１ｂは、無線通信部４３を用いて検査結果信号を受信すると、メモリ１３２に記憶されている検査要求信号と対応させてバーコード情報等を記憶させることにより、ＩＰ登録を行う。
【００７２】
なお、オペレータが、医用移動端末３０の入力部３１を用いて撮影に対するコメントを入力し、検査結果信号生成部１２１ｄが、そのコメントを含んだ検査結果信号を送信するようにしても良い。このようにコメントを送信することにより、「患者を動かせないので撮影方向を変更した」等の検査コメントや「患者は元気」等の患者コメント等の情報を送信できるので、患者に対する細かなケアができると共に、コミュニケーションツールとして用いることもできる。また、コメントを入力する替りにボイスメモを用いるようにしても良い。
【００７３】
なお、検査コメントや患者コメントの他に、感染情報、禁忌情報、妊娠情報、出産予定日、障害情報等の情報項目を入力できるようにしても良いが、これらの情報項目は、患者及び検査によって、入力すべき項目であるか否か、及び、項目欄に入力可能な文字数が異なる。したがって、このような情報項目を入力できるようにする場合には、オペレータは、入力すべき項目であるか否かを把握し、項目間の関連性について検討した上で、各項目の詳細な内容を確認する方が便利である。しかしながら、通常、最初に確認できることは、表示部の画面に表示されている項目欄のスクロールバーの長さを見て、その長さに基づいて、その項目欄に入力可能な文字数を予測する程度のことである。
【００７４】
そこで、本実施形態においては、表示部３３の初期画面において、まず、それぞれの入力状況が把握できる大きさで全項目を表示部３３に表示し、表示部３３の画面を確認したオペレータが注目すべき箇所をタップクリックするタイミング等によって注目すべき箇所へのズームインを行い、各項目の詳細な内容を参照できるようにすることが望ましい。これにより、オペレータの参照作業における思考回路にマッチした表示を行うことができる。
【００７５】
一方、表示部３３の初期画面において、注目すべき箇所を拡大表示しておくことにより、情報提供者がオペレータに対して注目を促すようにしても良い。この場合には、オペレータが、拡大表示された箇所の確認を完了するタイミングによってズームアウトして全体を表示させても良い。これにより、オペレータの注意を引くことができる。
【００７６】
本実施形態によれば、無線によりデータの送受信を行っているので、病院内の病室や手術室、又は、患者の自宅等の撮影室と離れた場所において効率良くＸ線撮影等を行うことができる。即ち、本実施形態に係る医用画像撮影システムは、ネットワークの有無による撮影可能条件の制限を受けずに、患者の撮影を行うことができる。
【００７７】
次に、本発明の第２の実施形態に係る医用移動端末及び医用画像撮影制御装置を含む医用画像撮影システムについて説明する。図５は、本発明の第２の実施形態に係る医用移動端末及び医用画像撮影制御装置を含む医用画像撮影システムの構成を示すブロック図である。図５に示すように、この医用画像撮影システムは、図１に示す医用移動端末３０の替りに医用移動端末１５０を含み、医用画像撮影制御装置４０の替りに医用画像撮影制御装置１６０を含んでいる。
【００７８】
図６は、図５に示す医用移動端末の詳細な構成を示すブロック図である。医用移動端末１５０は、図２に示す処理部１２０の替りに処理部１７０を含み、また、ミニＣＣＤ等のカメラ１８０を含んでいる。カメラ１８０は、バスラインに接続されている。
【００７９】
次に、ＣＰＵ１２１とソフトウェア（プログラム）とによって構成される機能ブロック１７１ａ及び１７１ｂについて説明する。
位置情報取得部１７１ａは、ＧＰＳ（global positioning system：全地球測位システム）機能を用いて医用移動端末３０の位置情報を取得する。検査送信依頼信号生成部１７１ｂは、医用画像撮影制御装置１６０から検査要求信号、及び、検査要求信号に対応する患者情報と検査情報と撮影条件情報等をダウンロードするための検査送信依頼信号を生成する。
【００８０】
本実施形態においては、検査送信依頼信号生成部１７１ｂが、位置情報取得部１７１ａによって取得した位置情報を含む検査送信依頼信号を生成し、無線通信部３４を用いて医用画像撮影制御装置１６０に検査送信依頼信号を送信している。
【００８１】
図７は、図５に示す医用画像撮影制御装置の詳細な構成を示すブロック図である。医用画像撮影制御装置１６０は、図３に示す処理部１３０の替りに処理部１９０を含んでいる。
【００８２】
次に、ＣＰＵ１３１とソフトウェア（プログラム）とによって構成される機能ブロック１９１ａについて説明する。
検査管理部１９１ａは、無線通信部４３を用いて位置情報を含む検査送信依頼信号を受信すると、受信した位置情報に基づいてメモリ１３２が記憶している検査要求信号、及び、検査要求信号に対応する患者情報と検査情報と撮影条件情報を読み出し、無線通信部４３を用いて医用移動端末１５０にそれらの情報を送信する。
【００８３】
本実施形態においては、検査要求信号処理部１９１ａが、位置情報に基づいて効率の良い撮影場所の撮影巡回ルートを決定し、その撮影巡回ルートに沿った検査要求信号、及び、検査要求信号に対応する患者情報と検査情報と撮影条件情報を順に読み出すことにより、効率良く撮影を行うことが可能となる。
【００８４】
例えば、在宅診療の場合には、位置情報及び患者の住所に基づいて、撮影巡回ルートを決定している。なお、撮影巡回ルートの決定は、病棟や病室、郵便番号や住所等の情報を単純ソート又は重み付けソートすることによって行うようにしても良いし、画像データの生成や記録シートの消去を行う医用画像読取装置の場所や、エレベータの設置場所等によって行っても良い。これにより、効率良くポータブル撮影を行うことが可能となる。
【００８５】
また、他の医用画像撮影装置や追加のカセッテ等の移動のために位置情報を用いることもできるし、医用移動端末を紛失した場合においても、医用移動端末の位置情報を用いて見付け出すことができる。
【００８６】
なお、本実施形態においては、位置情報取得部１７１ａを用いて位置情報を取得するようにしたが、在宅診療の場合には、移動する車のカーナビゲーションに、受信した検査要求信号に対応する患者情報等に含まれる撮影場所の情報を入力し、カーナビゲーションのＧＰＳ機能を用いて撮影巡回ルートを決定するようにしても良い。
【００８７】
また、医用移動端末３０を操作する撮影技師等のオペレータが、カメラ１８０を用いて患者を撮影し、検査送信依頼信号生成部１７１ｂが、患者の映像を表す画像データを含むように検査送信依頼信号を生成して医用画像撮影制御装置１６０に送信し、医用画像撮影制御装置１６０が、受信した画像データを、テレビ電話機能等を用いて表示部４２に表示させることにより、医用画像撮影制御装置１６０を操作する医師等のオペレータが、状況に応じた撮影条件を設定するようにしても良い。
【産業上の利用可能性】
【００８８】
本発明は、医用画像撮影装置と医用画像撮影制御装置と医用移動端末とを含む医用画像撮影システムにおいて利用することが可能である。
【図面の簡単な説明】
【００８９】
【図１】本発明の第１の実施形態に係る医用移動端末及び医用画像撮影制御装置を含む医用画像撮影システムの構成を示すブロック図である。
【図２】図１に示す医用移動端末の詳細な構成を示すブロック図である。
【図３】図１に示す医用画像撮影制御装置の詳細な構成を示すブロック図である。
【図４】医用画像撮影システムにおける撮影動作を示すフローチャートである。
【図５】本発明の第２の実施形態に係る医用移動端末及び医用画像撮影制御装置を含む医用画像撮影システムの構成を示すブロック図である。
【図６】図５に示す医用移動端末の詳細な構成を示すブロック図である。
【図７】図５に示す医用画像撮影制御装置の詳細な構成を示すブロック図である。
【符号の説明】
【００９０】
１  記録シート（輝尽性蛍光体シート）
１０  医用画像撮影装置
１１  撮影位置昇降機構
１２  撮影台
１３  放射線発生部
１４  インタフェース
２０  ポータブルの医用画像撮影装置
２１  撮影台
２２  放射線発生部
２３  照射位置調整機構
２４  インタフェース
３０  医用移動端末
３１  入力部
３２  バーコードリーダ
３３  表示部
３４  無線通信部
３５  アンテナ
３６  指紋センサ
４０  医用画像撮影制御装置
４１  入力部
４２  表示部
４３  無線通信部
４４  アンテナ
５０  医用画像読取装置
５１  レーザ光源
５２  光走査部
５３  フォトマルチプライヤ（光電子増倍管）
５４  増幅器
５５  Ａ／Ｄ変換器
５６  バーコードリーダ
５７  出力部
６０  画像サーバ
７０  プリンタ
８０  ＲＩＳ
９０  受付端末
１００  ＨＩＳ
１０１  電子カルテＤＢ
１１０  受付端末
１２０  処理部
１２１  ＣＰＵ
１２１ａ  検査送信依頼信号生成部
１２１ｂ  検査要求信号処理部
１２１ｃ  撮影制御部
１２１ｄ  検査結果信号生成部
１２１ｅ  出力部
１２１ｆ  照合制御部
１２２  メモリ
１２３  ハードディスク
１２４  ハードディスク制御部
１２５、１２６  インタフェース
１３０  処理部
１３１  ＣＰＵ
１３１ａ  撮影条件設定部
１３１ｂ  検査管理部
１３１ｃ  撮影制御部
１３１ｄ  画像処理部
１３１ｅ  出力部
１３２  メモリ
１３３  ハードディスク
１３４  ハードディスク制御部
１３５  ネットワークインタフェース
１３６、１３７  インタフェース
１４１、１４２  基地局
１５０  医用移動端末
１６０  医用画像撮影制御装置
１７０  処理部
１７１ａ  位置情報取得部
１７１ｂ  検査送信依頼信号生成部
１８０  カメラ
１９０  処理部
１９１ａ  検査管理部
【図１】
2005261525.tif 000003
【図２】
2005261525.tif 000004
【図３】
2005261525.tif 000005
【図４】
2005261525.tif 000006
【図５】
2005261525.tif 000007
【図６】
2005261525.tif 000008
【図７】
2005261525.tif 000009